(57)【特許請求の範囲】
【請求項１】
金属材料によって構成された金属部と、前記金属部と隣接し合成樹脂材料によって構成された樹脂部と、を有した筐体と、
ベース部と、前記ベース部に固定され前記樹脂部に収容された通信部と、を有し、前記筐体に収容されたアンテナと、
前記筐体の高さ方向に互いに間隔を空けて配置され、互いの間に前記ベース部が配置され、前記金属部と前記ベース部とを電気的に接続した二つの導電部材と、
を備え、
前記金属部と前記樹脂部とは、前記筐体の高さ方向と交差する交差方向に隣接し、
前記金属部と前記樹脂部との第１の境界部と、二つのうちの一方の前記導電部材と、前記ベース部とが、前記筐体の高さ方向に並べられ、前記一方の前記導電部材が前記第１の境界部と前記ベース部との間で弾性的に圧縮され、
前記金属部と前記樹脂部との第２の境界部と、二つのうちの他方の前記導電部材と、前記ベース部とが、前記筐体の高さ方向に並べられ、前記他方の前記導電部材が前記第２の境界部と前記ベース部とに接触した、電子機器。
【請求項２】
前記金属部は、前記筐体の高さ方向に沿った第１の方向を向いた第１の面と、前記第１の面から少なくとも前記第１の方向に延びた第２の面と、を有し、
前記導電部材は、前記第１の面と前記第２の面とに接触した、請求項１に記載の電子機器。
【請求項３】
前記樹脂部は、前記第１の方向を向き前記第１の面と前記交差方向に隣接した第３の面を有し、
前記導電部材は、前記第３の面と接触した、請求項２に記載の電子機器。
【請求項４】
前記通信部の全体が前記樹脂部に収容された、請求項１〜３のうちいずれか一つに記載の電子機器。
【請求項５】
二つの前記導電部材は、スポンジと、前記スポンジを被覆した導電性の被覆部材と、を有した、請求項１〜４のうちいずれか一つに記載の電子機器。
【請求項６】
二つの前記導電部材は、導通性を有するスポンジを有した、請求項１〜４のうちいずれか一つに記載の電子機器。
【請求項７】
金属材料によって構成された金属部と、前記金属部と隣接し合成樹脂材料によって構成された樹脂部と、を有した第１の筐体と、
ベース部と、前記ベース部に固定され前記樹脂部に収容された通信部と、を有し、前記第１の筐体に収容されたアンテナと、
前記金属部と前記ベース部とを電気的に接続した導電部材と、
前記第１の筐体に収容され、前記アンテナと電気的に接続された基板と、
前記第１の筐体に回転可能に支持された第２の筐体と、
前記第２の筐体に支持されたディスプレイユニットと、
を備え、
前記金属部と前記樹脂部とは、前記第１の筐体の高さ方向と交差する交差方向に隣接し、
前記金属部と前記樹脂部との境界部と、前記導電部材と、前記ベース部とが、前記第１の筐体の高さ方向に並べられた、電子機器。
【発明の詳細な説明】
【技術分野】
【０００１】
本発明は、電子機器に関する。
【背景技術】
【０００２】
従来、筐体と、筐体に収容されたアンテナと、を備えた電子機器が知られている。この種の電子機器として、筐体が、金属材料によって構成された金属部と、合成樹脂材料によって構成され金属部と隣接した樹脂部と、を有し、アンテナが樹脂部に収容され、アンテナと金属部とがシート状の導電部材によって電気的に接続されたものがある。
【先行技術文献】
【特許文献】
【０００３】
【特許文献１】特開２０１７−２２８９８２号公報
【発明の概要】
【発明が解決しようとする課題】
【０００４】
この種の電子機器では、シート状の導電部材が筐体の高さ方向と交差する方向にアンテナから金属部へ延びている。このため、導電部材が筐体の高さ方向と交差する方向に長くなりやすい。そこで、例えば、導電部材が筐体の高さ方向と交差する方向に長くなるのを抑制することができる新規な構成が得られれば、有益である。
【０００５】
本発明の課題の一つは、導電部材が筐体の高さ方向と交差する方向に長くなるのを抑制することができる新規な構成の電子機器を得ることである。
【課題を解決するための手段】
【０００６】
本発明の第１の態様にかかる電子機器は、金属材料によって構成された金属部と、前記金属部と隣接し合成樹脂材料によって構成された樹脂部と、を有した筐体と、ベース部と、前記ベース部に固定され前記樹脂部に収容された通信部と、を有し、前記筐体に収容されたアンテナと、前記筐体の高さ方向に互いに間隔を空けて配置され、互いの間に前記ベース部が配置され、前記金属部と前記ベース部とを電気的に接続した二つの導電部材と、を備え、前記金属部と前記樹脂部とは、前記筐体の高さ方向と交差する交差方向に隣接し、前記金属部と前記樹脂部との第１の境界部と、二つのうちの一方の前記導電部材と、前記ベース部とが、前記筐体の高さ方向に並べられ、前記一方の前記導電部材が前記第１の境界部と前記ベース部との間で弾性的に圧縮され、前記金属部と前記樹脂部との第２の境界部と、二つのうちの他方の前記導電部材と、前記ベース部とが、前記筐体の高さ方向に並べられ、前記他方の前記導電部材が前記第２の境界部と前記ベース部とに接触している。
【０００７】
前記電子機器では、例えば、前記金属部は、前記筐体の高さ方向に沿った第１の方向を向いた第１の面と、前記第１の面から少なくとも前記第１の方向に延びた第２の面と、を有し、前記導電部材は、前記第１の面と前記第２の面とに接触している。
【０００８】
前記電子機器では、例えば、前記樹脂部は、前記第１の方向を向き前記第１の面と前記交差方向に隣接した第３の面を有し、前記導電部材は、前記第３の面と接触している。
【０００９】
前記電子機器では、前記通信部の全体が前記樹脂部に収容されている。
前記電子機器では、二つの前記導電部材は、スポンジと、前記スポンジを被覆した導電性の被覆部材と、を有する
前記電子機器では、二つの前記導電部材は、導通性を有するスポンジを有する。
本発明の第２の態様にかかる電子機器は、金属材料によって構成された金属部と、前記金属部と隣接し合成樹脂材料によって構成された樹脂部と、を有した第１の筐体と、ベース部と、前記ベース部に固定され前記樹脂部に収容された通信部と、を有し、前記第１の筐体に収容されたアンテナと、前記金属部と前記ベース部とを電気的に接続した導電部材と、前記第１の筐体に収容され、前記アンテナと電気的に接続された基板と、前記第１の筐体に回転可能に支持された第２の筐体と、前記第２の筐体に支持されたディスプレイユニットと、を備え、前記金属部と前記樹脂部とは、前記第１の筐体の高さ方向と交差する交差方向に隣接し、前記金属部と前記樹脂部との境界部と、前記導電部材と、前記ベース部とが、前記第１の筐体の高さ方向に並べられている。
【発明の効果】
【００１０】
本発明の上記態様によれば、導電部材が筐体の厚さ方向と交差する方向に長くなるのを抑制することができる新規な構成の電子機器を得ることができる。
【図面の簡単な説明】
【００１１】
【図１】図１は、実施形態の電子機器の正面側からの例示的な斜視図であって、ディスプレイ部が展開位置に位置された状態の図である。
【図２】図２は、実施形態の電子機器におけるベース部の上側からの例示的な斜視図であって、ベース部の一部の図示が省略された図である。
【図３】図３は、実施形態の電子機器におけるベース部の下側からの例示的な側面図であって、ベース部の一部の図示が省略された図である。
【図４】図４は、実施形態の電子機器におけるベース部の下側からの例示的な分解斜視図である。
【図５】図５は、図１のV-V線に沿ったベース部の例示的な断面図である。
【図６】図６は、図１のVI-VI線に沿ったベース部の例示的な断面図である。
【図７】図７は、実施形態の電子機器におけるアッパーカバーの下側からの斜視図である。
【図８】図８は、実施形態の電子機器におけるアッパーカバーの金属部の一部の下側からの斜視図である。
【図９】図９は、実施形態の電子機器におけるアッパーカバーの金属部の一部の下側からの斜視図である。
【図１０】図１０は、実施形態の電子機器における右前側アンテナの下側からの斜視図である。
【図１１】図１１は、実施形態の電子機器における右前側アンテナの上側からの斜視図である。
【図１２】図１２は、実施形態の電子機器における左前側アンテナの下側からの斜視図である。
【図１３】図１３は、実施形態の電子機器における左前側アンテナの上側からの斜視図である。
【図１４】図１４は、実施形態の変形例の電子機器の正面側からの例示的な斜視図である。
【発明を実施するための形態】
【００１２】
以下、本発明の例示的な実施形態が開示される。以下に示される実施形態の構成、ならびに当該構成によってもたらされる作用および効果は、一例である。本発明は、以下の実施形態に開示される構成以外によっても実現可能である。また、本発明によれば、構成によって得られる種々の効果（派生的な効果も含む）のうち少なくとも一つを得ることが可能である。
【００１３】
なお、本明細書では、序数は、部品や、部材、部位、位置、方向等を区別するためだけに用いられており、順番や優先度を示すものではない。また、図面において、部分間の大きさ（長さ、幅、高さ、厚さ）の比率や位置関係等は、必ずしも現実のものと同一とは限らない。
【００１４】
図１は、実施形態の電子機器１の正面側からの例示的な斜視図であって、ディスプレイ部３が展開位置に位置された状態の図である。
【００１５】
図１に示されるように、電子機器１は、例えば、ノートブック型（クラムシェル型）のパーソナルコンピュータとして構成され、ベース部２と、ディスプレイ部３と、を備える。ベース部２は、例えば机や、台、棚等の載置部の平面（不図示）に載置される。ディスプレイ部３は、ベース部２に対して回転中心軸Ｃ回りに回転可能にベース部２に支持され、展開位置（図１）と閉じ位置（不図示）との間を移動可能である。具体的には、ディスプレイ部３は、ヒンジ５を介してベース部２に連結されている。なお、電子機器１は、上記例には限定されず、例えば、デスクトップ型のパーソナルコンピュータや、タブレット型のパーソナルコンピュータ、映像電子機器、テレビジョン受像機、ゲーム機等であってもよい。
【００１６】
本実施形態では、便宜上、互いに直交する三方向が定義されている。Ｘ方向は、ベース部２の奥行方向（前後方向、短手方向）に沿い、Ｙ方向は、ベース部２の幅方向（左右方向、長手方向）に沿い、Ｚ方向は、ベース部２の高さ方向（上下方向、厚さ方向）に沿う。また、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される。Ｚ方向は、第１の方向の一例であり、Ｘ方向およびＹ方向は、交差方向の一例である。
【００１７】
ベース部２は、第１の筐体１１と、第１の筐体１１に支持されたキーボード１２と、を有する。キーボード１２は、上方から操作可能な状態に第１の筐体１１に支持されている。
【００１８】
ディスプレイ部３は、第２の筐体２１と、ディスプレイユニット２２と、を有する。ディスプレイユニット２２は、表示画面２２ａが前方から視認可能な状態に、第２の筐体２１に支持されている。
【００１９】
ディスプレイ部３が展開位置（図１）に位置した状態では、第１の筐体１１の上面１１ａおよびキーボード１２と、第２の筐体２１の前面２１ａおよびディスプレイユニット２２の表示画面２２ａとが対向せず、第１の筐体１１の上面１１ａ、キーボード１２、第２の筐体２１の前面２１ａ、ディスプレイユニット２２の表示画面２２ａが露出する。このとき、第２の筐体２１の前面２１ａおよび後面２１ｂは、それぞれ、前方および後方を向く。
【００２０】
一方、ディスプレイ部３が閉じ位置に位置した状態では、第１の筐体１１の上面１１ａおよびキーボード１２と、第２の筐体２１の前面２１ａおよびディスプレイユニット２２の表示画面２２ａとが対向する。
【００２１】
次に、ベース部２について詳細に説明する。図２は、実施形態の電子機器１におけるベース部２の上側からの例示的な斜視図であって、ベース部２の一部の図示が省略された図である。図３は、実施形態の電子機器１におけるベース部２の下側からの例示的な側面図であって、ベース部２の一部の図示が省略された図である。図４は、実施形態の電子機器１におけるベース部２の下側からの例示的な分解斜視図である。
【００２２】
図２〜図４に示されるように、ベース部２の第１の筐体１１は、右前側アンテナ４１Ａと、左前側アンテナ４１Ｂと、左側アンテナ４１Ｃと、メイン基板（不図示）と、を収容している。右前側アンテナ４１Ａおよび左前側アンテナ４１Ｂは、第４世代移動通信システム（以後、４Ｇ通信とも称する）および第５世代移動通信システム（以後、５Ｇ通信とも称する）用である。すなわち、右前側アンテナ４１Ａおよび左前側アンテナ４１Ｂは、４Ｇ通信と５Ｇ通信との共用アンテナである。左側アンテナ４１Ｃは、５Ｇ通信用である。以後、右前側アンテナ４１Ａ、左前側アンテナ４１Ｂ、および左側アンテナ４１Ｃの総称としてアンテナ４１を用いる。各アンテナ４１は、メイン基板に電気的に接続されている。メイン基板には、ＣＰＵ（Central  Processing  Unit）や、ＲＯＭ（Read  Only  Memory）、ＲＡＭ（Random  Access  Memory）等の複数の電子部品（不図示）が実装されている。メイン基板に設けられた配線とメイン基板に実装された複数の電子部品とによって、電子機器１の電子回路の少なくとも一部が構成されている。
【００２３】
図１〜図４に示されるように、第１の筐体１１の形状は、上下方向に扁平な略直方体である。第１の筐体１１は、例えば、下壁１１ｃや、上壁１１ｄ、前壁１１ｅ、後壁１１ｆ、左壁１１ｇ、右壁１１ｈ等の複数の壁を有する。
【００２４】
下壁１１ｃは、下面１１ｂを含み、上壁１１ｄは、上面１１ａを含む。下壁１１ｃおよび上壁１１ｄは、いずれも、Ｚ方向と直交する方向（ＸＹ平面）に沿って延びており、Ｚ方向に間隔をあけて互いに平行に設けられている。
【００２５】
前壁１１ｅおよび後壁１１ｆは、いずれも、Ｘ方向と直交する方向（ＹＺ平面）に沿って延びており、Ｘ方向に間隔をあけて互いに平行に設けられている。前壁１１ｅおよび後壁１１ｆは、それぞれ、第１の筐体１１の前端部１１ｉおよび後端部１１ｊを構成している。前端部１１ｉは、回転中心軸Ｃと離間している。後端部１１ｊは、前端部１１ｉに対して回転中心軸Ｃ側に設けられている。
【００２６】
左壁１１ｇおよび右壁１１ｈは、いずれも、Ｙ方向と直交する方向（ＸＺ平面）に沿って延びており、Ｙ方向に間隔をあけて互いに平行に設けられている。左壁１１ｇおよび右壁１１ｈは、それぞれ、第１の筐体１１の左端部１１ｋおよび右端部１１ｍを構成している。
【００２７】
また、第１の筐体１１には、四つの角部１１ｎａ〜１１ｎｄが設けられている。角部１１ｎａは、前壁１１ｅと左壁１１ｇとの交差部によって構成されている。すなわち、角部１１ｎａは、前壁１１ｅと左壁１１ｇとの間に設けられている。角部１１ｎｂは、左壁１１ｇと後壁１１ｆとの交差部によって構成されている。すなわち、角部１１ｎｂは、左壁１１ｇと後壁１１ｆとの間に設けられている。角部１１ｎｃは、後壁１１ｆと右壁１１ｈとの交差部によって構成されている。すなわち、角部１１ｎｃは、後壁１１ｆと右壁１１ｈとの間に設けられている。角部１１ｎｄは、右壁１１ｈと前壁１１ｅとの交差部によって構成されている。すなわち、角部１１ｎｄは、右壁１１ｈと前壁１１ｅとの間に設けられている。
【００２８】
また、第１の筐体１１は、ロアカバー１３と、アッパーカバー１４と、を含む複数の部材の組み合わせによって構成されている。ロアカバー１３は、少なくとも下壁１１ｃを含む。アッパーカバー１４は、少なくとも上壁１１ｄを含む。
【００２９】
図５は、図１のV-V線に沿ったベース部２の例示的な断面図である。図６は、図１のVI-VI線に沿ったベース部２の例示的な断面図である。図７は、実施形態の電子機器１におけるアッパーカバー１４の下側からの斜視図である。図８は、実施形態の電子機器１におけるアッパーカバー１４の金属部１５の一部の下側からの斜視図である。図９は、実施形態の電子機器１におけるアッパーカバー１４の金属部１５の一部の下側からの斜視図である。
【００３０】
図１〜図７に示されるように、第１の筐体１１は、金属部１５と、右前側樹脂部１６Ａと、左前側樹脂部１６Ｂと、左側樹脂部１６Ｃと、を有する。金属部１５は、金属材料によって構成されて、導電性を有する。右前側樹脂部１６Ａ、左前側樹脂部１６Ｂ、および左側樹脂部１６Ｃは、それぞれ、合成樹脂材料によって構成されて、絶縁性を有する。以後、右前側樹脂部１６Ａ、左前側樹脂部１６Ｂ、および左側樹脂部１６Ｃの総称として、樹脂部１６を用いる。金属部１５と各樹脂部１６とは、Ｚ方向すなわち第１の筐体１１の高さ方向と交差する方向（Ｘ方向やＹ方向）に隣接している。金属部１５と樹脂部１６とは、インサート成形（ハイブリット成形）等によって作られる。
【００３１】
金属部１５は、キーボード１２を支持するとともに、メイン基板を収容している。金属部１５は、下壁１１ｃ、上壁１１ｄ、前壁１１ｅ、左壁１１ｇ、および右壁１１ｈのそれぞれの一部と、後壁１１ｆと、角部１１ｎｂ，１１ｎｃと、を含む。金属部１５は、ロアカバー１３に含まれるロア部１５ａと、アッパーカバー１４に含まれるアッパー部１５ｂと、を有する。また、図２、図３、図８、および図９に示されるように、金属部１５は、三つの接続縁部１５ｃ〜１５ｅを有する。接続縁部１５ｃは、右前側樹脂部１６Ａと接続されている。接続縁部１５ｃには、複数の孔１５ｆ（図８）が設けられている。孔１５ｆには、右前側樹脂部１６Ａの一部が充填されている。接続縁部１５ｄは、左前側樹脂部１６Ｂと接続されている。接続縁部１５ｄには、接続縁部１５ｃと同様に複数の孔１５ｆ（図９）が設けられている。当該接続縁部１５ｄの孔１５ｆには、左前側樹脂部１６Ｂの一部が充填されている。接続縁部１５ｅは、左側樹脂部１６Ｃと接続されている。接続縁部１５ｃ〜１５ｅは、接続部や接合部とも称される。
【００３２】
図２〜図６に示されるように、各樹脂部１６は、それぞれ、アンテナ４１を収容している。詳細には、右前側樹脂部１６Ａは、右前側アンテナ４１Ａを収容している（図４および図５）。左前側樹脂部１６Ｂは、左前側アンテナ４１Ｂを収容している（図４および図６）。左側樹脂部１６Ｃは、左側アンテナ４１Ｃを収容している（図４）。左側樹脂部１６Ｃは、左側アンテナ４１Ｃを収容している（図４）。このように、樹脂部１６にアンテナ４１が収容されることにより、アンテナ４１は、樹脂部１６を介して電波を送受信することができる。
【００３３】
図１〜図４に示されるように、右前側樹脂部１６Ａは、下壁１１ｃ、上壁１１ｄ、前壁１１ｅ、および右壁１１ｈのそれぞれの一部と、角部１１ｎｄと、を含む。左前側樹脂部１６Ｂは、下壁１１ｃ、上壁１１ｄ、前壁１１ｅ、および左壁１１ｇのそれぞれの一部と、角部１１ｎａと、を有する。左側樹脂部１６Ｃは、下壁１１ｃ、上壁１１ｄ、および左壁１１ｇのそれぞれの一部を有する。また、図４に示されるように、各樹脂部１６は、ロアカバー１３に含まれるロア部１６ａと、アッパーカバー１４に含まれるアッパー部１６ｂと、を有する。図７に示されるように、各樹脂部１６のアッパー部１６ｂは、それぞれ、突起５１，５３，５５と、爪部５２，５４，５６と、を有する。突起５１，５３，５５および爪部５２，５４，５６は、それぞれ、各樹脂部１６に含まれる上壁１１ｄの内面からＺ方向の反対方向に突出している。突起５１，５３，５５は、アンテナ４１のＺ方向と交差する方向の位置決めを行うことができる。爪部５２，５４，５６は、アンテナ４１と引っ掛かることにより、Ｚ方向の反対方向へのアンテナ４１の移動を制限することができる。
【００３４】
次に、金属部１５と樹脂部１６との接続について、図５に基づいて詳細に説明する。なお、図５は、金属部１５の接続縁部１５ｃと右前側樹脂部１６Ａとの接続の例である。
【００３５】
まずは、金属部１５のロア部１５ａと、樹脂部１６のロア部１６ａとの接続について説明する。金属部１５のロア部１５ａは、ロア凸部１５ａｂと、接合面１５ａｃと、を有する。ロア凸部１５ａｂは、ベース壁１５ａａから第１の筐体１１の内側に延びている。ベース壁１５ａａは、ロア部１５ａのうち少なくとも下壁１１ｃを構成する部分である。ロア凸部１５ａｂは、接触面１５ａｄを有する。接触面１５ａｄは、ロア凸部１５ａｂの先端面を構成し、Ｚ方向を向いている。接合面１５ａｃは、ベース壁１５ａａにおける樹脂部１６側の縁部とロア凸部１５ａｂの接触面１５ａｄとに亘って設けられている。接触面１５ａｄは、第１の面の一例である。
【００３６】
樹脂部１６のロア部１６ａは、ロア凸部１６ａｂと、接合面１６ａｃと、を有する。ロア凸部１６ａｂは、ベース壁１６ａａから第１の筐体１１の内側に延びている。ベース壁１６ａａは、ロア部１６ａのうち少なくとも下壁１１ｃを構成する部分である。ロア凸部１６ａｂは、接触面１６ａｄを有する。接触面１６ａｄは、ロア凸部１６ａｂの先端面を構成し、Ｚ方向を向いている。接触面１６ａｄは、金属部１５の接触面１５ａｄと面一であり、接触面１６ａｄと接触面１５ａｄとは、一つの平面を構成している。接合面１６ａｃは、ベース壁１６ａａにおける金属部１５側の縁部とロア凸部１６ａｂの接触面１６ａｄとに亘って設けられている。接合面１６ａｃと金属部１５の接合面１５ａｃとは、接合している。接合面１５ａｃ，１６ａｃは、金属部１５と樹脂部１６との境界部の一例である。
【００３７】
次に、金属部１５のアッパー部１５ｂと、樹脂部１６のアッパー部１６ｂとの接続について説明する。金属部１５のアッパー部１５ｂは、アッパー凸部１５ｂｂと、接合面１５ｂｃと、を有する。アッパー凸部１５ｂｂは、ベース壁１５ｂａから第１の筐体１１の内側に延びている。ベース壁１５ｂａは、アッパー部１５ｂのうち少なくとも上壁１１ｄを構成する部分である。アッパー凸部１５ｂｂは、接触面１５ｂｄ，１５ｂｅを有する。接触面１５ｂｄは、アッパー凸部１５ｂｂの中間部に設けられ、Ｚ方向の反対方向を向いている。接触面１５ｂｅは、接触面１５ｂｄにおける金属部１５の内方側の縁部からＺ方向と交差する方向に延びている。詳細には、接触面１５ｂｅは、Ｚ方向の反対方向に向かうにつれて右前側樹脂部１６Ａの内部空間から離れるように、接触面１５ｂｄから延びている。すなわち、接触面１５ｂｅは、少なくともＺ方向の反対方向に延びている。接合面１５ｂｃは、ベース壁１５ｂａにおける樹脂部１６側の縁部とアッパー凸部１５ｂｂの接触面１５ｂｄとに亘って設けられている。接触面１５ｂｄは、第１の面の一例であり、接触面１５ｂｅは、第２の面の一例である。
【００３８】
樹脂部１６のアッパー部１６ｂは、アッパー凸部１６ｂｂと、接合面１６ｂｃと、を有する。アッパー凸部１６ｂｂは、ベース壁１６ｂａから第１の筐体１１の内側に延びている。ベース壁１６ｂａは、アッパー部１６ｂのうち少なくとも上壁１１ｄを構成する部分である。アッパー凸部１６ｂｂは、接触面１６ｂｄを有する。接触面１６ｂｄは、アッパー凸部１６ｂｂの先端面を構成し、Ｚ方向の反対方向を向いている。接触面１６ｂｄは、金属部１５の接触面１５ｂｄと面一であり、接触面１６ｂｄと接触面１５ｂｄとは、一つの平面を構成している。接合面１６ｂｃは、ベース壁１６ｂａにおける金属部１５側の縁部とアッパー凸部１６ｂｂの接触面１５ｂｄとに亘って設けられている。接合面１６ｂｃと金属部１５の接合面１５ｂｃとは、接合している。接合面１５ｂｃ，１６ｂｃは、金属部１５と樹脂部１６との境界部の一例である。接触面１６ｂｄは、第３の面の一例である。
【００３９】
次に、アンテナ４１について説明する。各アンテナ４１は、同様の要素を有し、各アンテナには同様の要素が付随する。同様の要素には、同一の符号を付与する。以下では、複数のアンテナ４１のうち右前側アンテナ４１Ａおよび左前側アンテナ４１Ｂについて詳細に説明する。
【００４０】
図１０は、実施形態の電子機器１における右前側アンテナ４１Ａの下側からの斜視図である。図１１は、実施形態の電子機器１における右前側アンテナ４１Ａの上側からの斜視図である。
【００４１】
図５、図１０、および図１１に示されるように、右前側アンテナ４１Ａは、ベース部４１ａと、通信部４１ｂ（図５）と、固定部４１ｃ（図１０、図１１）と、を有する。なお、図１０および図１１では、通信部４１ｂの図示が省略されている。右前側アンテナ４１Ａは、平面視でＬ字状をなすように構成されている。
【００４２】
図５および図１０に示されるように、ベース部４１ａは、ベース壁４１ｄと、立壁４１ｅと、を有する。ベース壁４１ｄは、Ｚ方向と直交する方向（ＸＹ平面）に沿って延びている。ベース壁４１ｄには、突起４１ｈと、二つの孔４１ｆ，４１ｇが設けられている。突起４１ｈは、ベース壁４１ｄからＺ方向の反対方向に突出している。二つの孔４１ｆ，４１ｇは、Ｚ方向にベース壁４１ｄを貫通している。立壁４１ｅは、ベース壁４１ｄからＺ方向の反対方向に延びている。ベース部４１ａは、合成樹脂材料によって構成されている。固定部４１ｃは、ベース部４１ａと一体に形成されている。
【００４３】
図５に示されるように、通信部４１ｂは、ベース壁４１ｄと立壁４１ｅの表面に重ねられている。すなわち、通信部４１ｂは、ベース壁４１ｄと立壁４１ｅの表面に設けられている。通信部４１ｂは、金属材料によって構成されている。通信部４１ｂは、例えばアンテナパターンである。通信部４１ｂには、信号ケーブル４２（図１０）が電気的に接続されている。
【００４４】
上記構成の右前側アンテナ４１Ａは、孔４１ｆに第１の筐体１１の突起５１が入れられ、孔４１ｇに第１の筐体１１の爪部５２が入れられた状態で、固定部４１ｃが第１の筐体１１にネジ等の結合具に固定されている。
【００４５】
図１２は、実施形態の電子機器１における左前側アンテナ４１Ｂの下側からの斜視図である。図１３は、実施形態の電子機器１における左前側アンテナ４１Ｂの上側からの斜視図である。
【００４６】
図６、図１２、および図１３に示されるように、左前側アンテナ４１Ｂは、右前側アンテナ４１Ａと同様に、ベース部４１ａと、通信部４１ｂ（図６）と、固定部４１ｃ（図１２、図１３）と、を有する。ただし、右前側アンテナ４１Ａは、平面視で略直線状をなすように構成されている。上記構成の左前側アンテナ４１Ｂは、孔４１ｆに第１の筐体１１の突起５３が入れられ、孔４１ｇに第１の筐体１１の爪部５４が入れられた状態で、固定部４１ｃが第１の筐体１１にネジ等の結合具に固定されている。なお、図１２および図１３では、通信部４１ｂの図示が省略されている。
【００４７】
次に、アンテナ４１と第１の筐体１１との電気的接続構造について説明する。各アンテナ４１と第１の筐体１１との電気的接続構造は、互いに同様であるので、以下では、アンテナ４１と第１の筐体１１との電気的接続構造の代表として右前側アンテナ４１Ａと第１の筐体１１との電気的接続構造を説明する。
【００４８】
図５に示されるように、右前側アンテナ４１Ａは、導電部材４３，４４を介して第１の筐体１１の金属部１５と電気的に接続されている。詳細には、ベース部４１ａの立壁４１ｅが、導電部材４３を介して金属部１５のロア部１５ａと電気的に接続され、ベース部４１ａのベース壁４１ｄが導電部材４４を介して金属部１５のアッパー部１５ｂと電気的に接続されている。導電部材４３，４４は、例えば、導電性のスポンジと、スポンジを被覆した導電性の被覆部材と、を有する。被覆部材は、例えば導電性を有したシート状部材である。また、導電部材４３，４４は、右前側アンテナ４１Ａのベース部４１ａと第１の筐体１１の金属部１５および樹脂部１６との間で弾性的に圧縮されて、ベース部４１ａと金属部１５とに導電性の両面接着テープ等によって接着によって固定されている。詳細には、導電部材４３は、接触面１５ａｄ，１６ａｄと直接または両面接着テープ等を介して接触し、導電部材４４は、接触面１５ｂｄ，１５ｂｅ，１６ｂｄと直接または両面接着テープ等を介して接触している。金属部１５は、右前側アンテナ４１Ａのグランド部として機能する。これにより、ベース部２の実装物であるメイン基板やキーボード１２等からのノイズが右前側アンテナ４１Ａに伝達されるのが抑制される。
【００４９】
また、第１の筐体１１の金属部１５のロア部１５ａと樹脂部１６のロア部１６ａとの境界部である接合面１５ａｃ，１６ａｃと、導電部材４３と、右前側アンテナ４１Ａにおけるベース部４１ａの立壁４１ｅとは、Ｚ方向に並べられている。また、第１の筐体１１の金属部１５のアッパー部１５ｂと樹脂部のアッパー部１６ｂとの境界部である接合面１５ｂｃ，１６ｂｃと、導電部材４４と、右前側アンテナ４１Ａにおけるベース部４１ａのベース壁４１ｄとは、Ｚ方向に並べられている。また、金属部１５と通信部４１ｂとは、Ｚ方向に並べられておらず、Ｚ方向と交差する方向にずれている。ここで、図５および図６には、通信部４１ｂにおける金属部１５側の端の位置が線Ｌで示されている。図５および図６の例では、金属部１５は、線Ｌに対してＸ方向の反対側に位置されている。なお、接合面１５ａｃ，１６ａｃと接合面１５ｂｃ，１６ｂｃとは、Ｚ方向に並べられていてもよいし、Ｚ方向と交差する方向に互いにずれて配置されていてもよい。
【００５０】
以上のように、本実施形態では、電子機器１は、第１の筐体１１（筐体）と、アンテナ４１と、導電部材４３，４４と、を備える。第１の筐体１１は、金属材料によって構成された金属部１５と、金属部１５と隣接し合成樹脂材料によって構成された樹脂部１６と、を有する。アンテナ４１は、ベース部４１ａと、ベース部４１ａに固定され樹脂部１６に収容された通信部４１ｂと、を有し、第１の筐体１１に収容されている。導電部材４３，４４は、金属部１５とベース部４１ａとを電気的に接続している。金属部１５と樹脂部１６とは、第１の筐体１１の高さ方向と交差する交差方向（Ｘ方向やＹ方向）に隣接している。金属部１５と樹脂部１６との境界部（接合面１５ａｃ，１６ａｃまたは接合面１５ｂｃ，１６ｂｃ）と、導電部材４３または導電部材４４と、ベース部４１ａとが、第１の筐体１１の高さ方向に並べられている。
【００５１】
このような構成によれば、導電部材４３，４４が第１の筐体１１の高さ方向（Ｚ方向）と交差する方向（Ｘ方向やＹ方向）に長くなるのを抑制することができる。
【００５２】
また、本実施形態では、金属部１５は、第１の筐体１１の高さ方向に沿ったＺ方向（第１の方向）を向いた接触面１５ｂｄ（第１の面）と、接触面１５ｂｄから少なくともＺ方向に延びた接触面１５ｂｅ（第２の面）と、を有する。導電部材４４は、接触面１５ｂｄと接触面１５ｂｅとに接触している。
【００５３】
このような構成によれば、接触面１５ｂｅが設けられていない構成に比べて、導電部材４４と金属部１５との接触面積を増加させることができる。また、導電部材４４を接触面１５ｂｄ，１５ｂｅに押し付けることにより、導電部材４４を第１の筐体１１に対して固定を強固にすることができる。
【００５４】
また、本実施形態では、樹脂部１６は、Ｚ方向を向き接触面１５ｂｄとＺ方向と交差する交差方向（Ｘ方向やＹ方向）に隣接した接触面１６ｂｄ（第３の面）を有する。導電部材４４は、接触面１６ｂｄと接触している。
【００５５】
このような構成によれば、導電部材４４を金属部１５と樹脂部１６とで支持することができる。
【００５６】
また、本実施形態では、通信部４１ｂの全体が樹脂部１６に収容されている。
【００５７】
このような構成によれば、アンテナ４１の通信が良好に行われやすい。
【００５８】
次に、変形例を説明する。図１４は、実施形態の変形例の電子機器１の正面側からの例示的な斜視図である。本変形例では、第１の筐体１１の金属部１５と各樹脂部１６との境界部が凹凸状に形成されている。このような構成によれば、金属部１５と樹脂部１６との接触面積が増大して、金属部１５と樹脂部１６との接合強度が向上しやすい。
【００５９】
以上、本発明の実施形態が例示されたが、上記実施形態は一例であって、発明の範囲を限定することは意図していない。上記実施形態は、その他の様々な形態で実施されることが可能であり、発明の要旨を逸脱しない範囲で、種々の省略、置き換え、組み合わせ、変更を行うことができる。また、各構成や、形状、等の仕様（構造や、種類、方向、形式、大きさ、長さ、幅、厚さ、高さ、数、配置、位置、材質等）は、適宜に変更して実施することができる。
【符号の説明】
【００６０】
１…電子機器、１１…第１の筐体（筐体）、１５…金属部、１５ａｃ，１５ｂｃ，１６…樹脂部、１６ａｃ，１６ｂｃ…接合面（接合部）、１５ｂｄ…接触面（第１の面）、１５ｂｅ…接触面（第２の面）、１６ｂｄ…接触面（第３の面）、２１…第２の筐体、２２…ディスプレイユニット、４１…アンテナ、４１ａ…ベース部、４１ｂ…通信部、４３，４４…導電部材。
【要約】
【課題】導電部材が筐体の高さ方向と交差する方向に長くなるのを抑制することができる新規な構成の電子機器を得る。
【解決手段】電子機器は、筐体と、アンテナと、導電部材と、を備える。筐体は、金属部と、樹脂部と、を有する。アンテナは、ベース部と、樹脂部に収容された通信部と、を有し、筐体に収容されている。導電部材は、金属部とベース部とを電気的に接続している。金属部と樹脂部とは、筐体の高さ方向と交差する交差方向に隣接している。金属部と樹脂部との境界部と、導電部材と、ベース部とが、筐体の高さ方向に並べられている。
【選択図】図５【図１】
0006864249.tif 000002
【図２】
0006864249.tif 000003
【図３】
0006864249.tif 000004
【図４】
0006864249.tif 000005
【図５】
0006864249.tif 000006
【図６】
0006864249.tif 000007
【図７】
0006864249.tif 000008
【図８】
0006864249.tif 000009
【図９】
0006864249.tif 000010
【図１０】
0006864249.tif 000011
【図１１】
0006864249.tif 000012
【図１２】
0006864249.tif 000013
【図１３】
0006864249.tif 000014
【図１４】
0006864249.tif 000015